(57)【要約】【課題】光ピックアップ及びその案内移動する機構と光ディスクとの接触を防止するためのクリアランスを確保するとともに、充填した光ディスクの面ぶれなどによる光ピックアップとの接触を防ぐクリアランスを確保したうえで、薄型化した光ディスク装置を提供する。【解決手段】装着された光ディスクを回転させるスピンドルモータ５と、光ディスクに情報の書き込み及び読み出しの少なくともいずれかを行うためのレーザ光を照射する光ピックアップ６とを支持し、光ディスクの半径方向への移動を案内する一対のガイド軸が配置されたシャーシ７と、シャーシ７に少なくとも一カ所が固定され、光ピックアップ６及びガイド軸６ａを保護する保護カバー２３ａとを有し、保護カバー２３ａには、ガイド軸６ａと所定の位置で接する当接部２３ｂが形成される。【選択図】　　　　図３
2004110973.tif 000002
【特許請求の範囲】
【請求項１】
装着された光ディスクを回転させるスピンドルモータと、前記光ディスクに情報の書き込み及び読み出しの少なくともいずれかを行う為のレーザ光を照射する光ピックアップとを支持し、前記光ディスクの半径方向への移動を案内する一対のガイド軸が配置されたシャーシと、
該シャーシに少なくとも一カ所が固定され、前記光ピックアップ及び前記ガイド軸を保護する保護カバーとを有し、
前記保護カバーには、前記ガイド軸と所定の位置で接する当接部が形成されたことを特徴とする光ディスク装置。
【請求項２】
前記保護カバーの前記シャーシに固定される箇所のうち少なくとも一カ所がばね性を有することを特徴とする請求項１記載の光ディスク装置。
【請求項３】
前記ガイド軸と前記シャーシとの間隔を調整する高さ調整手段をさらに有することを特徴とする請求項１又は２記載の光ディスク装置。
【請求項４】
前記高さ調整手段が、前記シャーシの前記当接部と対応する位置の、前記保護カバーと対向する側と反対側に設けられたことを特徴とする請求項３記載の光ディスク装置。
【請求項５】
前記高さ調整手段は、断面視略凹形状の突部に設置され、
前記ガイド軸は前記突部の窪みに配置され、前記当接部を介して前記保護カバーに当接することを特徴とする請求項４記載の光ディスク装置。
【請求項６】
前記当接部の前記ガイド軸との接触面は、該ガイド軸の径に対応した曲面であり、前記保護カバーは、前記光ディスクの記録面と平行な面内で前記ガイド軸と直交するように当接されることを特徴とする請求項１から５のいずれか１項記載の光ディスク装置。
【発明の詳細な説明】
【０００１】
【発明の属する技術分野】
本発明は、ＣＤ−ＲＯＭ、ＣＤ−ＲＷ、ＤＶＤ−ＲＯＭ、ＤＶＤ＋ＲＷ等の光ディスク装置に関し、特に、光ディスクの面ぶれなどによる光ピックアップとの接触を防ぐクリアランスを確保したうえで、薄型化した光ディスク装置に関する。
【０００２】
【従来の技術】
ＣＤ−ＲＯＭ、ＤＶＤ−ＲＯＭ、ＣＤ−ＲＷ、ＤＶＤ＋ＲＷ等の光ディスクを再生、又は記録／再生するディスク装置は、最近普及しているノート型コンピュータ端末などの携帯情報端末に搭載するべく、小型化、薄型化が図られた装置が開発されている。
【０００３】
ノート型のコンピュータ端末の性能・機能アップに伴い、これに搭載されるディスク装置も単機能なＣＤ−ＲＯＭから、ＤＶＤ−ＲＯＭとＣＤ−ＲＷとの機能を兼ね備えたコンボタイプのディスク装置に移行しており、性能アップも進んでいる。
【０００４】
一般に、ノート型のコンピュータ端末においては、ディスク装置を小型化・薄型化するために、スピンドルモータと光ピックアップとを案内する手段を備えたメカユニットをディスクトレイと一体に移動させるローディング機構が一般的に採用されている。
このローディング機構は、ユーザが光ディスクを装填し、箱状の装置本体にローディング機構が収納された状態で光ピックアップ及び駆動機構によって光ディスクの記録／再生されるように構成されている。
【０００５】
図８に、従来の光ディスク装置の一例を示す。
光ディスク装置１は、板金製の下ケース２、下ケース２を覆う同じく板金製の上ケース３、不図示の光ディスクが装填され装置前後方向に移動可能なディスクトレイ４、スピンドルモータ５と光ピックアップ６とを支持し、ディスク半径方向に移動を案内する後述する一対のガイド軸が配置されたシャーシ７、シャーシ７がディスクトレイ４と一体的に前後方向に移動するように支持するレール８，９、一対のレール８，９とディスクトレイ４とを前方へ押圧する不図示の排出機構及びディスクトレイ４が装置本体に収納された状態に保持するロック機構などで構成されるローディング機構１０を有する。
なお、下ケース２及び上ケース３の材質は、コスト的に有利な亜鉛処理鋼板（厚さ０．４〜０．５ｍｍ）が用いられることが多い。
【０００６】
シャーシ７の上部には、光ピックアップ６及び案内手段を保護する保護カバー１３が固定されている。また、メカユニット（スピンドルモータ５、光ピックアップ６、シャーシ７及び保護ケース１３）の下面を覆う底板部材１１を介して、シャーシ７はディスクトレイ４に固定される。底板部材１１及び保護カバー１３の材質としては、銅板、ブリキ、ステンレス等の薄板板金（厚さ０．２〜０．３ｍｍ）等を適用可能であるが、防錆を考慮してブリキ、ステンレス材が使用されることが多く、コスト的には、ブリキが有利である。
【０００７】
下ケース２の後方には、光ディスク装置１を駆動・制御するための回路が形成された回路基板１２が設置されており、ＦＰＣ１６（フレキシブルプリント基板）を介してメカユニットに接続されている。回路基板１２には、各種モータなどを駆動するドライバＩＣ１２ａや諸制御を行うＬＳＩ１２ｂなどが実装されており、これらの実装素子による発熱は装置の高速化に伴い比較的大きくなっている。
【０００８】
ディスクトレイ４の前面には、ディスクトレイ４を光ディスク装置１の本体から排出する際に押下するイジェクトボタン１４を備えたフロントパネル１５が取り付けられる。イジェクトボタン１４は、不図示のロック機構と連動するように構成されており、イジェクトボタン１４が押下されるとロック機構が解除され、不図示の排出機構がディスクトレイ４を光ディスク装置１の本体から排出する。
【０００９】
上記のように、ユーザが光ディスクをディスク装置に装填する際は、スピンドルモータ５と光ピックアップ６とを半径方向に移動させる手段を備えたメカユニットも装置本体外部に出るため、メカユニットには、光ピックアップを案内移動する機構などを保護するための保護カバー１３が設けられている。
【００１０】
ノート型コンピュータ端末に搭載するディスク装置は、高さ１２．７ｍｍ、幅１２８ｍｍ、奥行き１２６ｍｍ以下の装置外形寸法とする必要があるため、装置自体を簿型化することが要求される。
【００１１】
光ディスクの簿型化を目的とした従来技術として、特許文献１に開示される「光ディスク装置」がある。
【００１２】
【特許文献１】
特開平１１−２９６８６６号公報（第２頁−７頁、第１図）
【００１３】
特許文献１に記載された発明は、上カバー（上記従来の光ディスク装置においては保護カバー１３に相当）と光ディスクとの接触、及び、下カバー（上記従来の光ディスク装置においては底板部材１１に相当）と光ディスクとの接触を防ぐためのクリアランスを確保しようとするものである。
【００１４】
【発明が解決しようとする課題】
メカユニットに保護カバーを設置する際には、光ピックアップ及びその案内移動する機構との接触を防止するためのクリアランスを確保するとともに、充填した光ディスクの面ぶれなどによる接触を防ぐクリアランスの確保も必要となる。
【００１５】
しかし、特許文献１に記載された発明は、光ディスクの面ぶれなどが原因となって発生する光ピックアップと光ディスクとの接触に関しては考慮されていない。
【００１６】
上記の２種類のクリアランスの確保は、高さ方向の外径寸法を削減し、薄型化（高さ寸法１２．７ｍｍ以下の達成）する上での課題となっている。
【００１７】
また、ＤＶＤ−ＲＯＭやＤＶＤ＋ＲＷにおいては、高密度・高容量化のために、光ピックアップの対物レンズの開口数（ＮＡ値）がＣＤ用の光ディスク装置の対物レンズの開口数（ＮＡ値）よりも大きく設定されており、わずかな光軸の傾きでジッタが大きく劣化してしまう。
【００１８】
このため、ＤＶＤ用の光ディスク装置においては、ジッタ改善のためのチルト調整機構が必要になる。しかし、保護カバーをメカユニットに設置した上で光ピックアップ及びその案内移動する機構との接触を防止するクリアランスを確保する場合、チルト調整の範囲を含むため簿型化がより困難となる。
【００１９】
本発明はかかる問題に鑑みてなされたものであり、光ピックアップ及びその案内移動する機構と光ディスクとの接触を防止するためのクリアランスを確保するとともに、充填した光ディスクの面ぶれなどによる光ピックアップとの接触を防ぐクリアランスを確保したうえで、薄型化した光ディスク装置を提供することを目的とする。
【００２０】
【課題を解決するための手段】
本発明は、上記目的を達成するため、装着された光ディスクを回転させるスピンドルモータと、光ディスクに情報の書き込み及び読み出しの少なくともいずれかを行う為のレーザ光を照射する光ピックアップとを支持し、光ディスクの半径方向への移動を案内する一対のガイド軸が配置されたシャーシと、該シャーシに少なくとも一カ所が固定され、光ピックアップ及びガイド軸を保護する保護カバーとを有し、保護カバーには、ガイド軸と所定の位置で接する当接部が形成されたことを特徴とする光ディスク装置を提供するものである。
このようにすれば、光ピックアップと保護カバーとの高さ方向の精度を向上できる。換言すると、光ピックアップと保護カバーとの間隔の誤差を所定の精度内に収めることができる。これにより、クリアランスが小さくとも光ピックアップと保護カバーとの接触を防止できる。ひいては、光ディスク装置を簿型化できる。
【００２１】
以上の構成において、保護カバーのシャーシに固定される箇所のうち少なくとも一カ所がばね性を有することが好ましい。
このようにすれば、ガイド軸と当接部とを確実に当接させられるため、保護カバーの内壁と光ピックアップとのクリアランスの安定化を図れる。換言すると、保護カバーの内壁と光ピックアップとの間隔の変動を小さく抑えることができる。
【００２２】
上記のいずれの構成においても、ガイド軸とシャーシとの間隔を調整する高さ調整手段をさらに有することが好ましく、高さ調整手段が、シャーシの当接部と対応する位置の、保護カバーと対向する側と反対側に設けられることがより好ましい。
このようにすれば、確実にガイド軸の高さ位置決めを行える。換言すると、ガイド軸とシャーシとの間隔を任意の間隔に調整できる。また、保護カバーがばね性を有する構成であれば、ガイド軸を下側から高さ調整手段によって光ディスクと直交する方向に移動させても、光ピックアップと保護カバーとの当接部によるクリアランスは維持されるため、チルト調整を行っても光ピックアップと保護カバーとの接触を防止できる。また、光ピックアップと保護カバーとのクリアランスを小さくできるため、光ディスク装置を簿型化できる。
さらに、高さ調整手段は、断面視略凹形状の突部に設置され、ガイド軸は突部の窪みに配置され、当接部を介して保護カバーに当接することが好ましい。
このようにすれば、高さ調整部においてガイド軸の左右位置決めを行えるとともに、突部の窪みにガイド部材を配置して保護カバーと当接させるため、当接部の形状を小さくできる。よって、保護カバーの製造が容易になるため、光ディスク装置の製造コストを低減できる。
【００２３】
また、上記のいずれの構成においても、当接部のガイド軸との接触面は、該ガイド軸の径に対応した曲面であり、保護カバーは、光ディスクの記録面と平行な面内でガイド軸と直交するように当接されることが好ましい。
このようにすれば、保護カバーの開口部と光ピックアップの突出部のばらつきを抑えることができ、光ディスク装填時に光ディスクと光ピックアップとのクリアランスにマージンを設けることができるため、光ディスク装置を簿型化できる。
【００２４】
【発明の実施の形態】
〔第１の実施形態〕
本発明を好適に実施した第１の実施形態について説明する。
図１に、第１の実施形態による光ディスク装置の構成を示す。なお、図８に示した従来の光ディスク装置と同様の部材については同じ符号を付して表し、説明は省略する。
本実施形態による光ディスク装置は、保護カバー１３に代わりに保護カバー２３ａを有する。よって、本実施形態においてメカユニットは、スピンドルモータ５、光ピックアップ６、シャーシ７及び保護カバー２３ａとを有する構成となる。
図２に、本実施形態による光ディスク装置の要部断面を示す。また、その一部を拡大して図３に示す。
シャーシ７には、スピンドルモータ５が固定されており光ピックアップ６を支持し、ディスク半径方向に移動を案内する一対のガイド軸６ａ（図２及び図３は側面図のため、片方のみ図示する）が配置されている。光ピックアップ６とその案内手段を保護する保護カバー２３ａには、ガイド軸６ａと当接する部分である当接部２３ｂ絞り加工によって設けられている。光ピックアップ６と保護カバー２３ａの内壁とのクリアランスｈ２は、当接部２３ｂの高さ寸法のみで定まるため精度が良く、その分クリアランスを小さくできる。
【００２５】
また、光ディスク２０と保護カバー２３ａとのクリアランスｈ１は、光ディスク２０の面ぶれによる接触や振動、衝撃によるシャーシ７の上下方向の変動を考慮して、ｈ１＞ｈ２とする必要がある。
本実施形態による光ディスク装置では、上記のようにｈ２を小さくできるため、ｈ１＞ｈ２の関係を満たした上でｈ１を設定することが容易となる。このため、光ディスク装置１の全体の高さを１２．７ｍｍ以下に収めることが容易となる。
【００２６】
なお、振動や衝撃に対する装置の信頼性を高めるため、シャーシ７は防震ゴム７ａを介して底板部材１１とともにディスクトレイ４に固定されている。
【００２７】
図４を用いて、保護カバー２３ａとシャーシ７との取付状態について説明する。図４（ａ）は、保護カバー２３ａをシャーシ７に取り付ける前の状態を示す図、図４（ｂ）は、保護カバー２３ａをシャーシ７に取り付けた状態を示す図、図４（ｃ）は、保護カバー２３ａの上面図、図４（ｄ）は、保護カバー２３ａの部分拡大図である。
【００２８】
保護カバー２３ａは、シャーシ７に設けられた三カ所のねじ部７ｂとフック部７ｃとによってシャーシ７に固定される。また、保護カバー２３ａにはガイド軸６ａとの当接部２３ｂが四ヶ所に設けられており、当接部２３ｂがガイド軸６ａと当接することで保護カバー２３ａと光ピックアップ６とのクリアランスが確保される。さらに、保護カバー２３ａには、ヒンジ部２３ｃが２カ所に設けられており、保護カバー２３ａの材質を薄手のばね（例えばステンレス）にすることによって、ヒンジ部２３ｃによってガイド軸６ａに確実に当接させることができ、保護カバー２３ａの内壁と光ピックアップ６とのクリアランスの安定化が図れる。
【００２９】
このように、本実施形態による光ディスク装置は、光ディスクと保護カバー２３ａとの接触を防ぐためのクリアランスを確保できるとともに、保護カバーの内壁と光ディスクとの接触を防ぐためクリアランスを確保できる。
また、光ピックアップ６は、保護カバー２３ａを基準として位置決めがなされて保護カバー２３ａと一体に可動するため、クリアランスを小さくして簿型化できる。
【００３０】
〔第２の実施形態〕
本発明を好適に実施した第２の実施形態について説明する。本実施形態による光ディスク装置の構成は、図１に示した第１の実施形態による光ディスク装置１とほぼ同様である。ただし、本実施形態による光ディスク装置は、保護カバー２３ａの代わりに保護カバー２４ａを有する。
【００３１】
図５に、本実施形態による光ディスク装置の要部を示す。
シャーシ７には、ガイド軸６ａの高さ位置決め用の受け７ｄが、シャーシ７の基準面からの高さがｈ３となるように設置されている。また、受け７ｄは、左右方向の位置決めを行えるように、凹形状となっている。
【００３２】
これにより、保護カバー２４ａに設けた当接部２４ｂの形状を小さくできるため、加工が容易となる上に製造コストを低減できる。
【００３３】
このように、本実施形態による光ディスク装置は、保護カバー２４ａの当接部２４ｂと対向するように、シャーシ７に受け７ｄを設けて、ガイド軸６ａを支持する。
よって、第１の実施形態と同様の効果が得られることに加え、確実にガイド軸の高さ位置決めを行える。
【００３４】
〔第３の実施形態〕
本発明を好適に実施した第３の実施形態について説明する。本実施形態による光ディスク装置の構成は、図１に示した第１の実施形態による光ディスク装置１とほぼ同様である。ただし、本実施形態による光ディスク装置は、保護カバー２３ａの代わりに保護カバー２５ａを有する。
【００３５】
図６の（ａ）及び（ｂ）に、本実施形態による光ディスク装置の要部を示す。
保護カバー２５ａには、曲げ加工によって形成した当接部２５ｂが設けられている。当接部２５ｂは、ガイド軸６ａの外径と合うように略Ｒ形状とし、光ディスクの記録面と平行な面内でガイド軸６ａに直交する方向に当接するように構成される。
【００３６】
これにより、保護カバー２５ａの開口部と対物レンズ６ｃが配置されている光ピックアップ６の突出部のばらつきｈ４を抑えられ、光ディスクと光ピックアップ６とのクリアランスにマージンができるため光ディスク装置の簿型化が可能となる。
【００３７】
このように、本実施形態による光ディスク装置は、第１の実施形態と同様の効果が得られることに加え、確実にガイド軸の高さ位置決めを行える。
【００３８】
〔第４の実施形態〕
本発明を好適に実施した第４の実施形態について説明する。本実施形態による光ディスク装置の構成は、第１の実施形態による光ディスク装置１とほぼ同様である。ただし、本実施形態による光ディスク装置は、保護カバー２３ａの代わりに保護カバー２４ａを有する。
【００３９】
図７に、本実施形態による光ディスク装置の要部を示す。保護カバー２４ａは、第２の実施形態のものと同様の構造である。ただし、本実施形態においては、当接部２４ｂとガイド軸６ａとの間に板ばね７ｇが介在するように配置される。また、受け７ｅには、ねじ穴が配置されており、ここには調整ねじ７ｆが取り付けられる。
なお、板ばね７ｇの一端は、シャーシ７に固定されている。
【００４０】
このような構造とすることにより、ガイド軸６ａの高さ方向の位置を調整することが可能となる。
例えば、調整ねじ７ｆのねじ込み量を多くすると、ガイド軸６ａは受け７ｅから突出した調整ねじ７ｆによって押し上げられるため、ガイド軸６ａの位置を高くすることができる。
反対に、調整ねじ７ｆのねじ込み量を少なくすると、受け７ｅに収納された調整ねじ７ｆの長さ分だけ、ガイド軸６ａの位置を低くすることができる。
【００４１】
保護カバー２４ａは、ばね性を有しており、調整ねじ７ｆを用いてガイド軸６ａを光ディスクと直交する方向へ下側から移動させても、光ピックアップ６と保護カバー２４ａの当接部２４ｂとが形成するクリアランスは維持される。
よって、上記のチルト調整を行っても、光ピックアップ６と保護カバー２４ａとの接触を防止でき、装置の薄型化が可能となる。
【００４２】
このように、本実施形態による光ディスク装置は、第１の実施形態と同様の効果を得られることに加えて、保護カバーをガイド軸に確実に当接させることができ、保護カバーの内壁と光ピックアップとのクリアランスを確実に確保できる。
【００４３】
なお、上記各実施形態は、本発明の好適な実施の一例であり、本発明は、これに限定されることはない。
例えば、光ディスク装置を構成する各部材の形状は、図示した形状に限定されることなく、発明の主旨を逸脱しない範囲で変形してもよい。
このように、本発明は様々な変形が可能である。
【００４４】
【発明の効果】
以上の説明によって明らかなように、本発明によれば、光ピックアップ及びその案内移動する機構と光ディスクとの接触を防止するためのクリアランスを確保するとともに、充填した光ディスクの面ぶれなどによる光ピックアップとの接触を防ぐクリアランスを確保したうえで、薄型化した光ディスク装置を提供できる。
【図面の簡単な説明】
【図１】本発明を好適に実施した第１の実施形態による光ディスク装置の構成を示す図である。
【図２】第１の実施形態による光ディスク装置の断面図である。
【図３】第１の実施形態による光ディスク装置の要部断面図である。
【図４】保護カバーとシャーシとの取付状態を説明するための図である。
【図５】本発明を好適に実施した第２の実施形態による光ディスク装置の要部の断面を示す図である。
【図６】本発明を好適に実施した第３の実施形態による光ディスク装置の要部の断面を示す図である。
【図７】本発明を好適に実施した第４の実施形態による光ディスク装置の要部の断面を示す図である。
【図８】従来の光ディスク装置の構成を示す図である。
【符号の説明】
１　光ディスク装置
２　下ケース
３　上ケース
４　ディスクトレイ
５　スピンドルモータ
６　光ピックアップ
６ａ　ガイド軸
６ｃ　対物レンズ
７　シャーシ
７ａ　防震ゴム
７ｂ　ねじ部
７ｄ、７ｅ　受け
７ｆ　調整ねじ
８、９　レール
１０　ローディング機構
１１　底板部材
１２　回路基板
１２ａ　ドライバＩＣ
１２ｂ　ＬＳＩ
１３、２３ａ、２４ａ、２５ａ　保護カバー
１４　イジェクトボタン
１５　フロントパネル
１６　ＦＰＣ
２０　光ディスク
２３ｂ、２４ｂ、２５ｂ　当接部
２３ｃ　ヒンジ部
【図１】
2004110973.tif 000003
【図２】
2004110973.tif 000004
【図３】
2004110973.tif 000005
【図４】
2004110973.tif 000006
【図５】
2004110973.tif 000007
【図６】
2004110973.tif 000008
【図７】
2004110973.tif 000009
【図８】
2004110973.tif 000010